(57)【要約】  不織布から構成された２つの表面層（２，３）と、２つの表面層（２，３）の間に配置され、吸水性ポリマーを含有する吸水性ポリマー層（４）とが積層された、身体清拭シート（１）。
2018003885.tif 000002
【特許請求の範囲】
【請求項１】
不織布から構成された２つの表面層と、２つの表面層の間に配置され、吸水性ポリマーを含有する吸水性ポリマー層とが積層された身体清拭シート。
【請求項２】
水を含ませて使用される乾式シートである請求項１に記載の身体清拭シート。
【請求項３】
前記吸水性ポリマー層は、繊維材料中に吸水性ポリマーを含有させたシート、繊維材料の上に吸水性ポリマーを分散して固めたシート、又は繊維状に加工された吸水性ポリマーを含むシートから構成される請求項１又は２に記載の身体清拭シート。
【請求項４】
前記吸水性ポリマー層中の吸水性ポリマーの量が、ポリマーが十分膨潤する時間水に浸した身体清拭シートを６０℃に加熱した後、２０〜２５℃、湿度４０〜８０％の環境下で１０分保存した後の身体清拭シートの温度を３０℃以上に保持し得る量である請求項１〜３のいずれかに記載の身体清拭シート。
【請求項５】
水性洗浄剤を含有しない請求項１〜４のいずれかに記載の身体清拭シート。
【請求項６】
前記表面層と吸水性ポリマー層とが、少なくとも１点で固定されている請求項１〜５のいずれかに記載の身体清拭シート。
【請求項７】
前記固定部が略直線状である請求項６に記載の身体清拭シート。
【請求項８】
前記略直線状の固定部が前記身体清拭シートの端から端に跨る請求項７に記載の身体清拭シート。
【請求項９】
前記身体清拭シートが略矩形であり、前記略直線状の固定部が、少なくとも一方向に２本設けられている請求項６又は７に記載の身体清拭シート。
【請求項１０】
前記固定部が、身体清拭シートの両端に設けられており、前記２つの表面層を接合する際に同時に設けられた略直線状の２本の固定部である請求項６〜９のいずれかに記載の身体清拭シート。
【請求項１１】
前記固定部が熱溶着による接合部である請求項６〜１０のいずれかに記載の身体清拭シート。
【請求項１２】
前記吸水性ポリマー層が、身体清拭シートの幅方向の中心位置を長手方向に沿って略直線状に延びる凹部により２つの部分に分離されている請求項１〜１１のいずれかに記載の身体清拭シート。
【請求項１３】
前記身体清拭シートは略矩形であり、前記身体清拭シートの幅方向の中心を通って前記身体清拭シートの長手方向に延びる線における前記身体清拭シートの長手方向の中心位置から等距離の位置から、前記身体清拭シートの長辺までの間を、前記身体清拭シートの長手方向に沿って互いに離れるように延びる仮想線に沿って延びる２つのガイド線をさらに備える請求項１〜１２のいずれかに記載の身体清拭シート。
【請求項１４】
前記２つの表面層のうちの一方の角部に取り付けられ、該２つの表面層のうちの一つとの間に前記身体清拭シートを収容するためのポケットを画成する小片をさらに備える請求項１〜１３のいずれかに記載の身体清拭シート。
【発明の詳細な説明】
【技術分野】
【０００１】
本発明は、身体清拭シートに関する。
【背景技術】
【０００２】
保水性を有する身体用の清拭シートが知られており、例えば特許文献１，２には、吸水性ポリマー及び水性洗浄剤を含む湿式の身体用清拭シートが開示されている。また、特許文献３には布タオルの間に吸水樹脂を挟んだ蒸しタオルが開示されている。
【先行技術文献】
【特許文献】
【０００３】
【特許文献１】日本国特開２００４−３１３５５７
【特許文献２】日本国特開２００３−２５０７１４
【特許文献３】日本国特開平９−２５２９９４
【発明の概要】
【発明が解決しようとする課題】
【０００４】
しかしながら、特許文献１及び２に記載の清拭シートは湿式のシートであるため、使用前に乾いた状態で保管できない。また、特許文献１及び２に記載の清拭シートには、アレルギー体質の人や皮膚疾患を有する人に適用する場合、身体に接触することが好ましくない場合もある。【０００５】
特許文献３に記載の蒸しタオルの場合、繰り返し用いると雑菌の繁殖の恐れがある。そのため、衛生的に用いるには布タオルを吸水樹脂から外して洗濯する必要があり、使用者にとって煩雑である。【０００６】
本発明の目的は、使い捨て可能で、使用前に乾いた状態で保管でき、かつ使用時の保水性が良好で、加温して使用した場合の保温性に優れる不織布タイプの身体清拭シートを提供することにある。
【課題を解決するための手段】
【０００７】
本発明者らは、上記の目的を達成すべく、２つの表面層を不織布から構成し、２つの表面層の間に吸水性ポリマーを含有する吸水性ポリマー層を配置した身体清拭シートを用いることにより、上記の課題を解決できることを見出し、本発明を完成するに至った。【０００８】
本発明の一態様によれば、不織布から構成された２つの表面層と、２つの表面層の間に配置され、吸水性ポリマーを含有する吸水性ポリマー層とが積層された身体清拭シートが提供される。
一実施形態において、上記身体清拭シートは、水を含ませて使用される乾式シートである。
別の実施形態において、上記吸水性ポリマー層は、繊維材料中に吸水性ポリマーを含有させたシート、繊維材料の上に吸水性ポリマーを分散して固めたシート、又は繊維状に加工された吸水性ポリマーを含むシートから構成される。
別の実施形態において、上記吸水性ポリマー層中の吸水性ポリマーの量が、ポリマーが十分膨潤する時間水に浸した身体清拭シートを６０℃に加熱した後、２０〜２５℃、湿度４０〜８０％の環境下で１０分保存した後の身体清拭シートの温度を３０℃以上に保持し得る量である。
別の実施形態において、上記身体清拭シートは水性洗浄剤を含有しない。
別の実施形態において、上記表面層と上記吸水性ポリマー層とが、少なくとも１点で固定されている。
別の実施形態において、上記固定部が略直線状である。
別の実施形態において、上記略直線状の固定部が上記身体清拭シートの端から端に跨る。
別の実施形態において、上記身体清拭シートが略矩形であり、上記略直線状の固定部が、少なくとも一方向に２本設けられている。
別の実施形態において、上記固定部が、身体清拭シートの両端に設けられており、上記２つの表面層を接合する際に同時に設けられた略直線状の２本の固定部である。
別の実施形態において、上記固定部が熱溶着による接合部である。
別の実施形態において、上記吸水性ポリマー層が、身体清拭シートの幅方向の中心位置を長手方向に沿って略直線状に延びる凹部により２つの部分に分離されている。
別の実施形態において、上記身体清拭シートは略矩形であり、上記身体清拭シートの幅方向の中心を通って上記身体清拭シートの長手方向に延びる線における上記身体清拭シートの長手方向の中心位置から等距離の位置から、上記身体清拭シートの長辺までの間を、上記身体清拭シートの長手方向に沿って互いに離れるように延びる仮想線に沿って延びる２つのガイド線をさらに備える。
別の実施形態において、上記２つの表面層のうちの一方の角部に取り付けられ、該２つの表面層のうちの一つとの間に上記身体清拭シートを収容するためのポケットを画成する小片をさらに備える。
【発明の効果】
【０００９】
本発明によれば、使用前には身体清拭シートを乾いた状態で保管でき、かつ使用時には良好な保水性を発揮し、加温した場合の保温性に優れる。また、使用後には身体清拭シートを使い捨てることができて衛生的である。
【図面の簡単な説明】
【００１０】
【図１】本発明の第１実施形態の身体清拭シートの平面図。
【図２】図１のII−II線における断面図。
【図３】図１の身体清拭シートの各部材の接合を説明する身体清拭シートの模式的平面図。
【図４】本発明の第２実施形態の身体清拭シートの平面図。
【図５】（Ａ）〜（Ｈ）本発明の第３〜１０実施形態の身体清拭シートの平面図。
【図６】本発明の第１１実施形態の身体清拭シートの模式的平面図。
【図７】図６のVII−VII線における断面図。
【図８】本発明の第１２実施形態の身体清拭シートの平面図。
【図９】図８の身体清拭シートの使用状態の略図。
【図１０】本発明の第１３実施形態の身体清拭シートの平面図。
【図１１】図１０の身体清拭シートが折り畳まれた状態を示す平面図。
【図１２】身体清拭シートの保温試験の結果を示すグラフ。
【図１３】実施例５の身体清拭シートの略平面図。
【図１４】実施例６の身体清拭シートの略平面図。
【図１５】実施例７の身体清拭シートの略平面図。
【図１６】実施例８の身体清拭シートの略平面図。
【図１７】実施例９の身体清拭シートの略平面図。
【図１８】実施例１０の身体清拭シートの略平面図。
【図１９】実施例１１の身体清拭シートの略平面図。
【図２０】実施例１２の身体清拭シートの略平面図。
【図２１】実施例１３の身体清拭シートの略平面図。
【図２２】実施例１４の身体清拭シートの略平面図。
【図２３】実施例２７の身体清拭シートの略平面図。
【発明を実施するための形態】
【００１１】
以下、本発明の第１〜第１３実施形態の身体清拭シートについて図１〜１１を参照しながら説明する。
【００１２】
図１及び図２に示すように、本発明の第１実施形態の身体清拭シート１は、不織布から構成された２つの表面層２，３と、２つの表面層２，３の間に配置され、吸水性ポリマーを含有する１つまたは複数の吸水性ポリマー層４とが積層された略矩形の積層シートである。表面層２及び表面層３のいずれの面でも、身体の清拭を行うことができる。
【００１３】
また、図２に示すように、吸水性ポリマー層４の端部が２つの表面層２，３により封止されている。具体的には、吸水性ポリマー層４の幅が２つの表面層２，３の幅よりも短く、また吸水性ポリマー層４の長さが２つの表面層２，３の長さよりも短くなっており、吸水性ポリマー層４が２つの表面層２，３により囲繞され、吸水性ポリマー層４の周端部が２つの表面層２，３により封止されている。封止は、例えば表面層２，３の２層の超音波融着並びに熱融着等の溶着、接着剤による接着、糸による縫い合わせ、エンボス加工による接合、溶断機による溶断、溶接機による溶接等により行うことができる。吸水性ポリマー層４を２つの表面層２，３により封止することで、吸水性ポリマー層４の身体清拭シート１からの脱落が防止される。また、吸水性ポリマー層４を２つの表面層２，３により画成される空間内に閉じ込めて、吸水性ポリマーが身体清拭シート１の外に漏出するのを防止することができる。
【００１４】
表面層２及び表面層３の片方又は両方と、吸水性ポリマー層４とは、少なくとも一点で固定されていることが好ましい。各表面層２，３と吸水性ポリマー層４とを固定することにより、互いの層間のズレを解消あるいは低減することができる。図３に示すように、本実施形態では、吸水性ポリマー層４の長手方向に沿った対をなす端部（言い換えると長辺）において表面層２，３の両方と吸水性ポリマー層４との３層が矩形の仮想線で囲った固定部２０の領域または範囲で固定されており、固定部２０は身体清拭シート１、表面層２，３、吸水性ポリマー層４の長手方向に沿って、略直線状に互いに平行に２本設けられている。各固定部２０は、身体清拭シート１の端から端に跨っている。ここで、「端から端に跨る」とは、身体清拭シート１の全長に渡って固定部２０が設けられていてもよいが、必ずしも身体清拭シート１の全長に渡って固定部２０が設けられていなくてもよく、固定部２０の端が該端に最も近い身体清拭シート１の辺から０ｍｍ〜３０ｍｍ離れていることを指す。また、「端から端に跨る」には、身体清拭シート１の長手方向の端から端に跨る場合と、身体清拭シート１の長手方向に垂直な短手方向（すなわち幅方向）の端から端に跨る場合とが含まれる。表面層２，３と吸水性ポリマー層４の固定方法は特に限定されず、例えば、超音波融着並びに熱融着等の溶着、接着剤による接着、糸による縫い合わせ、エンボス加工による接合、溶接機による溶接等により行うことができる。例えば、第１実施形態の固定部２０は、表面層２及び表面層３の２層の４辺を網掛けで示した部分で互いに接合する際に、表面層２及び表面層３の間の吸水性ポリマー層４も同時に固定部２０の位置で接合することにより、一度に接合することができる。
【００１５】
本実施形態の身体清拭シート１は、水を含ませて使用される乾式シートである。このため、衛生的に長期間保管することができる。また、本実施形態の身体清拭シート１は乾式で軽量であるため、多数量の運搬及び輸送にも適している。
【００１６】
身体清拭シート１は、使用時に水を含ませることで、身体清拭シート１を身体の清拭に使用することができる。
【００１７】
また、吸水性ポリマー層４の吸水性ポリマーが水を保持するため、身体清拭シート１を、身体清拭シート１を適用した身体部位の冷却又は加温に使用することができる。冷却用の身体清拭シート１は、例えば乾燥した身体清拭シート１を氷水、冷却水、又は水道水等に浸したり、水で濡らした身体清拭シート１を冷蔵庫に保存することにより準備でき、加温用の身体清拭シート１は、例えば乾燥した身体清拭シート１を温水に浸したり、水又は湯で濡らした身体清拭シート１を電子レンジで加熱したり、保温庫又は清拭車に入れることにより準備することもできる。
【００１８】
さらには、身体清拭シート１に水を含ませることで、吸水性ポリマー層４の吸水性ポリマーが膨張するため、不織布のみから構成したシートと比較して身体清拭シート１の厚みが増大すると共にクッション性も増大する。
【００１９】
また、本実施形態の身体清拭シート１の表面層２，３と吸水性ポリマー層４に適量の水を保持させると、清拭を行うときに肌への水残りを少なくでき、清拭されている人が感じる局所的な寒さ又は冷感を回避又は低減することができる。
【００２０】
また、本実施形態の身体清拭シート１は、使い捨ての物品である。特に、身体清拭用の物品を加温して使用する場合は雑菌が繁殖しやすいが、本発明の身体清拭シート１は使い捨てであるため、衛生的に使用することができる。
【００２１】
さらに、本実施形態の身体清拭シート１は、水性洗浄剤を含有しない。水性洗浄剤は水を媒体とし洗浄成分を含有するものであり、界面活性剤が挙げられる。このため、身体に直接接触するときの水性洗浄剤の影響が排除される。水性洗浄剤については日本国特開２００３−２５０７１４及び日本国特開２００４−３１３５５７にも記載されている。
【００２２】
次に、身体清拭シート１を構成する各層について詳しく説明する。
【００２３】
表面層２，３は不織布から構成されており、不織布を構成する繊維材料は天然繊維であっても化学繊維であってもよいし、それらの組み合わせでもよい。天然繊維としてはコットン、パルプ、羊毛等の天然繊維が挙げられる。化学繊維としては、レーヨン及びキュプラ等の再生セルロース繊維、ポリビニルアルコール繊維及びポリアクリロニトリル繊維等の親水性合成繊維、及びポリエチレン繊維、ポリプロピレン繊維、ポリエステル繊維、ポリエチレンテレフタレート繊維、ポリエチレンテレフタレート／ポリエチレン芯鞘型複合繊維、ポリプロピレン／ポリエチレン芯鞘型複合繊維等の合成繊維並びにこれらを親水化処理したもの等が挙げられる。繊維材料は１種又は２種以上を用いることができる。例えば、表面層２，３を親水性繊維と熱溶着性繊維を含む複合材としてもよく、好ましくは、コットン、パルプ及びレーヨンやキュプラ等の再生セルロース繊維から選択された少なくとも一つと、ポリビニルアルコール繊維、ポリアクリロニトリル繊維、ポリエチレン繊維、ポリプロピレン繊維、ポリエステル繊維、ポリエチレンテレフタレート繊維、ポリエチレンテレフタレート／ポリエチレン芯鞘型複合繊維、及びポリプロピレン／ポリエチレン芯鞘型複合繊維から選択された少なくとも一つの合成繊維とを含む複合材とすることができる。また、表面層２，３に使用される合成繊維が非親水性の合成繊維であっても、親水性を示す構造にすること、あるいは親水化処理を施すこともできる。
【００２４】
表面層２，３を構成する繊維シートは、例えば湿式抄造法、スパンレース法及びエアレイド法等の不織布製造法により製造することができる。表面層２，３を構成する繊維シートの坪量は、身体清拭シート１全体の構成にもよるが、風合い又は吸水性ポリマー層の成分の漏出防止等の観点から、坪量はそれぞれ例えば２０〜１００ｇ／ｍ2 であり、３０〜７０ｇ／ｍ2 であることが好ましい。
【００２５】
表面層２及び表面層３はそれぞれ一枚に限定されず、例えば１つの身体清拭シート１中に複数の表面層２、複数の表面層３、又はこれらの組み合わせを積層させて使用してもよい。複数の表面層２を使用する場合、異種繊維から形成された２層以上の表面層２を重ね合わせてもよいし、同種の繊維から形成された２層以上の表面層２を重ね合わせてもよい。複数の表面層２を重ね合わせて一枚の不織布とすることができる。また、複数の表面層２を重ね合わせる部分は、表面層２の全体に限られず、一部の区画のみであってもよい。複数の表面層３の場合も複数の表面層２を使用する場合と同様である。
【００２６】
吸水性ポリマー層４は吸水性ポリマーを含有する層である。吸水性ポリマー層４は、吸水性ポリマーの他に、繊維材料、バインダー等の添加剤をさらに含有してもよい。吸水性ポリマー層４は、繊維材料中に吸水性ポリマーを含有させたシート、繊維材料の上に吸水性ポリマーを分散して固めたシート、又は繊維状に加工された吸水性ポリマーを含むシートであり得る。
【００２７】
吸水性ポリマー層４に使用される吸水性ポリマーとしては、液体を吸収及び保持できる任意の吸水性ポリマーを使用することができ、具体例としては、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体を挙げることができる。吸水性ポリマー層４に使用される吸水性ポリマーは、１種単独であってもよいし、又は２種以上を併用してもよい。
【００２８】
吸水性ポリマー層４に使用される繊維材料は天然繊維であっても化学繊維であってもよいし、それらの組み合わせでもよい。天然繊維としてはコットン、パルプ、羊毛等の天然繊維が挙げられる。化学繊維としては、レーヨン及びキュプラ等の再生セルロース繊維、ポリビニルアルコール繊維及びポリアクリロニトリル繊維等の親水性合成繊維、及びポリエチレン繊維、ポリプロピレン繊維、ポリエステル繊維、ポリエチレンテレフタレート繊維、ポリエチレンテレフタレート／ポリエチレン芯鞘型複合繊維等の合成繊維並びにこれらを親水化処理したもの等が挙げられる。繊維材料は１種又は２種以上を用いることができる。
【００２９】
吸水性ポリマー層４を構成する繊維シートは、例えば湿式抄造法、スパンレース法及びエアレイド法等の不織布製造法により製造することができる。吸水性ポリマー層４を構成する繊維シートの坪量は、身体清拭シート１全体の坪量にもよるが、それぞれ例えば２０〜４００ｇ／ｍ2であり、３０〜３５０ｇ／ｍ2であることが好ましい。また、吸水性ポリマー層４を構成する繊維シートは、単にパルプやコットン等の繊維を堆積したシートであってもよい。
【００３０】
吸水性ポリマー層４の数は一枚に限定されない。例えば１つの身体清拭シート１中に複数の吸水性ポリマー層４を積層させて使用してもよい。複数の吸水性ポリマー層４を使用する場合、異種繊維から形成された２層以上の吸水性ポリマー層４を重ね合わせてもよいし、同種の繊維をから形成された２層以上の吸水性ポリマー層４を重ね合わせてもよい。また、複数の吸水性ポリマー層４を重ね合わせる部分は、吸水性ポリマー層４の全体に限られず、一部の区画のみであってもよい。
【００３１】
好ましくは、吸水性ポリマー層４中の吸水性ポリマーの量は、吸水性ポリマーが十分膨潤する時間水に浸した身体清拭シート１を６０℃に加熱した後、２０〜２５℃、湿度４０〜８０％の環境下で１０分静置した後の身体清拭シート１の温度を３０℃以上に保持し得る量である。追加的に又は代わりに、吸水性ポリマー層４中の吸水性ポリマーの量は、吸水性ポリマーが十分膨張する時間水に浸した身体清拭シート１を６０℃に加熱した後、２０〜２５℃、湿度４０〜８０％の環境下で２０分保存した後の身体清拭シート１の温度を２５℃以上に保持し得る量である。この場合、身体清拭シート１は、加熱後に比較的長時間温かさを保持し得る。
【００３２】
身体清拭シート１は、香料、保湿剤、抗菌剤、抗炎症剤、虫除け剤、及び清涼パウダーから選択される１つ又は２つ以上の成分をさらに含有してもよい。これらの成分は表面層２、表面層３、吸水性ポリマー層４及びその他の層のいずれに含有されてもよい。
【００３３】
香料は、天然香料でも合成香料でもよく、特に限定されず、例えば香木、精油、樹脂、ムスク、シベット、カストリウム、アンバーグリス、メントール、レモン、グレープフルーツ、ライム、オレンジ、ベルガモット、バラ、ジャスミン、スズラン、ライラック、バニリン、ヘリオトロピン、クマリン；ベンゾイン、乳香、没薬等が挙げられる。
【００３４】
抗菌剤としては、特に限定されず、例えばメチルパラベン等が挙げられる。
【００３５】
保湿剤は、軟膏、クリーム、ローション等のいずれの剤形の保湿剤であってもよく、特に限定されない。軟膏としては、例えば白色ワセリン、亜鉛華軟膏、セラミド、アズノール軟膏、ザーネ軟膏、クリームとしては、例えばウレパール、ケラチナミン、パスタロン（ソフト）、ワイドコール、ヒルドイドクリーム、ローションとしては、例えばヒルドイドローションが挙げられる。
【００３６】
抗炎症剤としては、特に限定されず、例えばプレドニゾロン、リン酸ベタメタゾンナトリウム、リン酸デキサメタゾンナトリウム等のステロイド系抗炎症薬、並びにアスピリン、メフェナム酸、イブプロフェン、ナプロキセン、チアプロフェン、インドメタシン、ジクロフェナクナトリウム、ロキソプロフェンナトリウム、スリンダク、ピロキシカム等の非ステロイド系抗炎症薬が挙げられる。
【００３７】
虫除け剤としては、特に限定されず、例えばＮ，Ｎ−ジエチル−３−メチルベンズアミド（ＤＥＥＴ）、ｐ−メンタン−３，８−ジオール、ユーカリオイルを初めとするアロマオイル等が挙げられる。
【００３８】
清涼パウダーは、水と反応して吸熱反応を起こす冷却物質を含む粉体である。冷却物質としては、特に限定されず、糖類、アミノ酸、尿素、無機塩などが挙げられ、粉末としてはタルク、カオリン、雲母、炭酸金属塩、ケイ酸金属塩、クレイ、雲母チタン、オキシ塩化ビスマス、シリカビーズ、プラスチックビーズ、プラスチックパウダー、コーンスターチを初めとする食用粉末等が挙げられる。
【００３９】
ここまで、本発明を第１実施形態を例にとって説明してきたが、本発明はこれに限られず、以下のような種々の変形が可能である。以下の第２〜１３実施形態において、同じ符号は第１実施形態における符号と同じ部材を示し、説明は省略する。なお、第２〜１３実施形態の各々だけでなく、第２〜１３実施形態を組み合わせた態様も、本発明に含まれる。
【００４０】
図４に示すように、第２実施形態の身体清拭シート１は、表面層２、表面層３、及び吸水性ポリマー層４に加えて、１または２層以上の追加の層５を備えていてもよい。例えば追加の層５は、表面層３と吸水性ポリマー層４の間に積層された、表面層３と吸水性ポリマー層４の接着を支援するための熱融着層であってもよい。かかる熱融着層は、例えば熱融着性繊維から構成される。熱融着性繊維としては、例えばポリエチレン、ポリプロピレン等のポリオレフイン系樹脂、ポリエチレンテレフタレート等のポリエステル系樹脂、ポリアクリル酸、ポリメタクリル酸等のアクリル系樹脂、ポリ塩化ビニル等のビニル系樹脂、ポリアミド系樹脂等、並びにこれらの組み合わせが用いられる。
【００４１】
第１実施形態では、表面層２、表面層３、及び吸水性ポリマー層４の３層を固定するように固定部２０が設けられていたが、固定部は表面層２と吸水性ポリマー層４の２層、又は表面層３と吸水性ポリマー層４の２層を固定するものであってもよい。また、表面層２及び表面層３の片方又は両方と、吸水性ポリマー層４とは少なくとも１点で固定されていればよい。
【００４２】
さらに、固定部２０の形状は、点状、線状、楕円状、螺旋状、格子状等であってよいが、これらに限定されない。例えば、図５（Ａ）〜（Ｈ）はそれぞれ第３〜１０実施形態の身体清拭シート１の模式的平面図である。
【００４３】
図５（Ａ）の第３実施形態の身体清拭シート１では、図３の第１実施形態の身体清拭シート１と同様に、表面層２，３の両方と吸水性ポリマー層４との３層が、身体清拭シート１の長手方向の端から端に跨る互いに平行な２本の略直線状の固定部２０で固定されているが、固定部２０は、身体清拭シート１の長手方向に垂直な短手方向において、表面層２及び表面層３の２層を接合している網掛けの部分とは離れており、固定部２０は網掛けの部分よりも身体清拭シート１の内方に設けられている。
【００４４】
図５（Ｂ）の第４実施形態の身体清拭シート１は、身体清拭シート１の長手方向の端から端に跨る第１の固定部２０と、第１の固定部２０と垂直な身体清拭シート１の短手方向の端から端に跨る第２の固定部２０とを備えている。
【００４５】
図５（Ｃ）の第５実施形態の身体清拭シート１は、固定部２０は、各々が身体清拭シート１の対角線上に延びる、互いに交差する２本の略直線状の固定部２０を備えている。
【００４６】
図５（Ｄ）の第６実施形態の身体清拭シート１は、身体清拭シート１の中心に設けられた点状の固定部２０を備えている。
【００４７】
図５（Ｅ）の第７実施形態の身体清拭シート１は、身体清拭シート１の幅方向の中心を通って身体清拭シート１の長手方向に延びる１本の略直線状の固定部２０を備えている。
【００４８】
図５（Ｆ）の第８実施形態の身体清拭シート１は、身体清拭シート１内にランダムに分散して設けられた曲線状の複数（図では３つ）の固定部２０を備えている。
【００４９】
図５（Ｇ）の第９実施形態の身体清拭シート１は、身体清拭シート１内にランダムに分散して設けられた点状の複数（図では５つ）の固定部２０を備えている。
【００５０】
図５（Ｈ）の第１０実施形態の身体清拭シート１は、身体清拭シート１の幅方向の中心を通って身体清拭シート１の長手方向に延びるが、吸水性ポリマー４の領域内に設けられた１本の略直線状の固定部２０を備えている。
【００５１】
上記の第３〜１０実施形態のいずれの場合も、固定部２０は、表面層２，３の片方又は両方と吸水性ポリマー層４とを固定することにより、互いの層間のズレを解消あるいは低減することができる。
【００５２】
図６及び７に示すように、本発明の第１１実施形態の身体清拭シート１は、身体清拭シート１の幅方向の中心位置を長手方向に沿って略直線状に延びる凹部６を備え、凹部６により吸収性ポリマー層４が２つの部分４ａに分離されている。かかる凹部６を備えることで、矢印の方向に折り返すと、身体清拭シート１を容易に二つに折り畳むことができ、拭きやすい。
【００５３】
なお、本実施形態では、表面層２及び表面層３の２層が接合した部分が、凹部６の底面を区画形成し、表面層２、表面層３、及び吸収性ポリマー層４の３層の部分よりも厚みが小さくなることで凹部６が画成されているが、凹部６の位置で凹部６の身体清拭シート１の幅方向における両側の部分よりも相対的に厚みが小さくなっていれば、身体清拭シート１の各層の図示された構成に限定されない。
【００５４】
図８に示すように、本発明の第１２実施形態の身体清拭シート１は、第１１実施形態で示した凹部６に加えて、それぞれ一対のガイド線７ａ並びにガイド線７ｂ、及びガイド線７ｃ並びにガイド線７ｄを備えている。ガイド線７ａ並びにガイド線７ｂは、身体清拭シート１の幅方向の中心を通って身体清拭シート１の長手方向に延びる線Ｘにおける身体清拭シート１の長手方向の中心位置Ｃから等距離の位置から、身体清拭シート１の長辺１ａまでの間を、身体清拭シート１の長手方向に沿って互いに離れるように延びる仮想線Ｙ1，Ｙ2に沿ってそれぞれ延びている。ガイド線７ｃ並びにガイド線７ｄは、身体清拭シート１の幅方向の中心を通って身体清拭シート１の長手方向に延びる線Ｘにおける身体清拭シート１の長手方向の中心位置Ｃから等距離の位置から、身体清拭シート１の長辺１ｂまでの間を、上記身体清拭シートの長手方向に沿って互いに離れるように延びる仮想線Ｙ3，Ｙ4に沿ってそれぞれ延びている。ガイド線７ａ，７ｂ，７ｃ及び７ｄは、エンボス加工等により施された凹部、互いに離間して設けられた複数の孔、糸による縫い目、マーカー、テープ等であってよい。ガイド線７ａ，７ｂ，７ｃ及び７ｄは身体清拭シート１の片面または両面に設けられてもよく、好ましくは両面に設けられる。なお「仮想線に沿って」とは、仮想線上である場合と、仮想線と平行な場合とを含む。
【００５５】
この構成によれば、図８において、（１）の矢印のように身体清拭シート１を線Ｘの位置で二つに折り畳み、（２）の矢印のように折り重なった一端部を内方に折り返し、（３）の矢印のように折り重なった他方の端部を内方に折り返すことにより、図９に示すように、ミトン様の形状に身体清拭シート１が折りたたまれる。ミトンの空間８に親指以外の４指を入れ、ミトンの長手方向の端部の折れ重なった部分を親指をミトンの外側から押さえることにより、使用者、つまり身体清拭シート１の着用者は手の操作を細かく反映しつつ清拭することができる。
【００５６】
図１０に示すように、本発明の第１２実施形態の身体清拭シート１では、表面層２または表面層３の角部に、小片１０が取り付けられている。小片１０を構成する材料は限定されず、例えば表面層３と同じ材料であってもよいし、異なる材料であってもよい。小片１０の形状は限定されないが、例えば三角形であり、小片１０の二辺１１，１２が表面層３の角部を形成する二辺と接合されている。接合としては、超音波融着並びに熱融着等の溶着、接着剤による接着、糸による縫い合わせ、エンボス加工による接合、溶断機による溶断、溶接機による溶接等により行うことができる。小片１０は、表面層３との間に身体清拭シート１を収容するためのポケット１３を画成する。
【００５７】
このため、図１０で矢印に示すように、身体清拭シート１をポケット１３に向かって折り返し、図１１に示すように身体清拭シート１をポケット１３に収容することができる。このため、コンパクトに畳んで拭くことができ、また、使用後の身体清拭シート１をコンパクトに折り畳んで処分することができる。
【００５８】
以下に実施例を挙げて本発明をより具体的に説明するが、本発明はこれらに限定されない。
【実施例】
【００５９】
試験例１  身体清拭シートの製造
実施例１
（１）表面層の製造
繊維成分がレーヨン繊維８０％及びポリエチレンテレフタレート／ポリエチレンの芯鞘型複合繊維２０％からなる坪量４０ｇ／ｍ2 のスパンレース不織布を製造し、これを２枚の表面層として用いた。表面層の大きさは、長さ３００ｍｍ×幅２００〜４００ｍｍ とした。
（２） 吸水性ポリマー層の製造
吸水性ポリマー含有シートを吸水性ポリマー層として用いた。このシートはエアレイド法によって製造されたものであり、シートに含まれる吸水性ポリマーは架橋されたポリアクリル酸ナトリウム塩であり、実施例１のシートではその坪量を２３０ｇ ／ｍ2とした。このシートの繊維組成は、木材パルプからなる天然セルロース繊維であった。
（３）身体清拭シートの製造
２枚の表面層間には、吸水性ポリマー層と、さらに別途ポリプロピレン／ポリエチレン芯鞘型繊維１００％から構成された熱融着層とを配置し、熱融着で４層を接合し、清拭シートを製造した。【００６０】
実施例２の身体清拭シートは、吸水性ポリマー層の吸水性ポリマーの坪量を１３８ｇ ／ｍ2として製造した。【００６１】
実施例３の身体清拭シートは、吸水性ポリマー層の吸水性ポリマーの坪量を５０ｇ ／ｍ2として製造した。【００６２】
実施例４の身体清拭シートは、吸水性ポリマー層の吸水性ポリマーを繊維状態に加工した上で、吸水性ポリマー層の坪量を６８ｇ ／ｍ2として製造した。【００６３】
比較例１には布タオルを用いた。
比較例２には市販の不織布からなる単層のシートを用いた。【００６４】
試験例２  保温性試験
試験例１で製造した実施例１〜４及び比較例１，２の身体清拭シートを約１０ｃｍ ×約３０ｃｍに折りたたみ、吸水性ポリマーが十分膨潤する時間、水を含水させ、電子レンジを用いて加熱した。次いで放射温度計（タスコ製ＴＡ−４１０ＮＨ）を用いて、折りたたんだ状態の清拭シート表面の中央部温度が６０℃まで下がった後、２分毎に２０分間、清拭シート表面の中央部温度を測定した。【００６５】
結果を表１及び図１２に示す。【００６６】
【表１】
2018003885.tif 000003
【００６７】
試験例３  身体清拭シートの製造
実施例５
（１）表面層の製造
ＡＬ０４５ＴＣＤＰ−Ｈ（金星製紙株式会社製）（繊維成分がパルプ及びポリエチレンテレフタレート／ポリエチレンの芯鞘型複合繊維からなる坪量４５ｇ／ｍ2 のエアレイド不織布）を表面層とした。
（２）吸水性ポリマー層の製造
吸水性ポリマー９ｇ／ｍ2を含有し、パルプおよびバインダーからなる総坪量８９ｇ／ｍ2の不織布をエアレイド法により製造し、吸水性ポリマー層を得た。
（３）身体清拭シートの製造
幅２０ｃｍの表面層不織布ロールの上に、幅１８．２ｃｍの吸水性ポリマー層を長さ２７ｃｍに断裁しながら該吸水性ポリマー層の長さ方向に約３ｃｍ間隔で配置し、吸水性ポリマー層の上から幅２０ｃｍの表面層不織布ロールを挟み合わせて３層とした。３層からなるシートの各々を移動装置により移動させ、シートの幅方向の両端の各々から１．５ｃｍまでの幅１．５ｃｍの領域をシートの移動方向に沿って、シートの上方に配置した加熱ローラーによって溶着した。シートの移動方向はシートの長さ方向と一致する。続いて、シートにおける幅方向に吸水性ポリマー層が挟まっていない箇所を幅２．５ｃｍの加熱ローラーにより溶着し、隣り合う３層からなるシートの間の２つの表面層の接合部の中央を幅方向に切断して、実施例５の身体清拭シートを得た（図１３）。
以下、図１３〜２２において、符号１は身体清拭シート、符号２は表面層、符号４は吸水性ポリマー層、符号２２は溶着部を示す。図１６，１８において、符号２４は身体清拭シート１の下方の加熱ローラーによる溶着部を示す。【００６８】
実施例６
シートの幅方向中央部の上方に幅１ｃｍの加熱ローラーを追加して、身体清拭シートの幅方向の中心を通りシートの長手方向に沿ってシートがさらに溶着されるようにした以外は実施例５と同様にして実施例６の身体清拭シートを得た（図１４）。【００６９】
実施例７
実施例５においてシートの幅方向の両端の各々から１．５ｃｍまでの幅１．５ｃｍの領域をシートの移動方向に沿って加熱ローラーによって溶着する代わりに、シートの幅方向の両端の各々から８ｍｍまでの幅８ｍｍの領域をシートの移動方向に沿って加熱ローラーによって溶着した。また、シートの幅方向中央部の上方に幅１ｃｍの加熱ローラーを配置し、シートの幅方向の中心を通りシートの移動方向に沿ってシートを溶着し、実施例７の身体清拭シートを得た（図１５）。【００７０】
実施例８
シートの幅方向中央部の下方に幅２ｃｍの加熱ローラーを追加して、身体清拭シートの長手方向の中心を通りシートの幅方向に沿って幅方向における一端から他端までシートがさらに溶着されるようにした以外は実施例７と同様にして実施例８の身体清拭シートを得た（図１６）。【００７１】
実施例９
実施例５においてシートの幅方向の両端の各々から１．５ｃｍまでの幅１．５ｃｍの領域をシートの移動方向に沿って加熱ローラーによって溶着する代わりに、シートの幅方向の両端の各々から８ｍｍまでの幅８ｍｍの領域をシートの移動方向に沿って加熱ローラーによって溶着した。また、シートの幅方向の両端の各々から５ｃｍ離れた位置の上方に幅２ｃｍの加熱ローラーを配置しシートの移動方向に沿ってシートを溶着し、身体清拭シートの長手方向に沿った端部の接合部以外に、当該端部の接合部から離れて長手方向に延びる追加の二本の接合部を形成し、実施例９の身体清拭シートを得た（図１７）。【００７２】
実施例１０
実施例９における、シートの幅方向の両端の各々から５ｃｍ離れた位置に幅２ｃｍでシートの移動方向に沿って設けた接合部を、シートの下方に配置した加熱ローラーにより形成した以外は、実施例９と同様にして実施例１０の身体清拭シートを得た（図１８）。【００７３】
実施例１１
実施例５においてシートの幅方向の両端の各々から１．５ｃｍまでの幅１．５ｃｍの領域をシートの移動方向に沿って加熱ローラーによって溶着する代わりに、シートの幅方向の両端の各々から８ｍｍまでの幅８ｍｍの領域をシートの移動方向に沿って加熱ローラーによって溶着した。また、シートの長手方向中央部の上方に幅１ｃｍの加熱ローラーを配置し、シートの長手方向の中心を通りシートの幅方向に沿ってシートを溶着し、実施例１１の身体清拭シートを得た（図１９）。【００７４】
実施例１２
実施例５においてシートの幅方向の両端の各々から１．５ｃｍまでの幅１．５ｃｍの領域をシートの移動方向に沿って加熱ローラーによって溶着する代わりに、シートの幅方向の両端の各々から８ｍｍまでの幅８ｍｍの領域をシートの移動方向に沿って加熱ローラーによって溶着し、実施例１２の身体清拭シートを得た（図２０）。【００７５】
試験例４
ヨレの評価  実施例５〜１２の身体清拭シートを２分間６０℃のお湯に浸けたあと、広げた状態で一辺を持ち上げ、中身がよれるか否かを評価した。結果、実施例５〜１１の身体清拭シートでは実施例１２と比べてヨレが解消あるいは改善されており、実施例１２の身体清拭シートではヨレが発生した。【００７６】
実施例１３
実施例５において、吸水性ポリマー層の断裁長さ１２ｃｍとし、シートにおける幅方向の溶着部分の切断を２回に１回として、実施例１３の身体清拭シートを得た（図２１）。【００７７】
実施例１４
幅３０ｃｍの表面層不織布ロールに、幅方向に１ｃｍ離して２個配置した幅１３．８ｃｍの吸水性ポリマー層を長さ１７ｃｍに断裁しながら該吸水性ポリマー層の長さ方向に約３ｃｍ間隔で配置し、吸水性ポリマー層の上から幅３０ｃｍの表面層不織布ロールを挟み合わせて３層とした。３層からなるシートの各々を移動装置により移動させ、シートの幅方向の両端の各々から１．５ｃｍまでの幅１．５ｃｍの領域をシートの移動方向に沿って、シートの上方に配置した加熱ローラーによって溶着した。続いて、シートの幅方向の中央部の幅１ｃｍの領域をシート上方に配置した加熱ローラーによって溶着した。シートの移動方向はシートの長さ方向と直交である。続いて、シートにおける幅方向に吸水性ポリマー層が挟まっていない箇所を幅２．５ｃｍの加熱ローラーにより溶着し、隣り合う３層からなるシートの間の２つの表面層の接合部の中央を幅方向に切断して、実施例１４の身体清拭シートを得た（図２２）。【００７８】
実施例１５
表面層をＡＬ０６０ＵＴＨＰ−Ｈ−Ｓ（金星製紙株式会社製）（繊維成分がパルプ及びポリエチレンテレフタレート／ポリエチレンの芯鞘型複合繊維からなる坪量６０ｇ／ｍ2 のエアレイド不織布）とした以外は実施例５と同様にして実施例１５の身体清拭シートを得た。【００７９】
実施例１６
表面層をＡＬ０７０ＵＴＨＰ−Ｈ−Ｓ（金星製紙株式会社製）（繊維成分がパルプ及びポリエチレンテレフタレート／ポリエチレンの芯鞘型複合繊維からなる坪量７０ｇ／ｍ2 のエアレイド不織布）とした以外は実施例５と同様にして実施例１６の身体清拭シートを得た。【００８０】
実施例１７
表面層を９５７０−Ｏ（シンワ株式会社製）（繊維成分がポリエチレン及びポリプロピレンからなる坪量７０ｇ／ｍ2 の不織布）とした以外は実施例５と同様にして実施例１７の身体清拭シートを得た。【００８１】
実施例１８
表面層を７８４０Ｚ＋６５１５−１Ａ（シンワ株式会社製）（繊維成分がポリエチレンテレフタレートからなる坪量４０ｇ／ｍ2の不織布と、繊維成分がポリプロピレン／ポリエチレンの芯鞘型複合繊維からなる坪量１５ｇ／ｍ2 の不織布とを交錯させた不織布）とした以外は実施例５と同様にして実施例１８の身体清拭シートを得た。【００８２】
実施例１９
表面層を２ＡＴＥＰ２０６０（日清紡テキスタイル株式会社製）（繊維成分がコットン及びポリエチレンテレフタレートからなる坪量６０ｇ／ｍ2 のスパンレース不織布）とした以外は実施例５と同様にして実施例１９の身体清拭シートを得た。【００８３】
実施例２０
表面層を３ＲＴＥＰ００８０（日清紡テキスタイル株式会社製）（繊維成分がレーヨン及びポリエチレンテレフタレートからなる坪量８０ｇ／ｍ2 のスパンレース不織布）とした以外は実施例５と同様にして実施例２０の身体清拭シートを得た。【００８４】
実施例２１
表面層をＡＬ０４５ＴＣＤＰ−Ｈと６５２５−１Ａ（シンワ株式会社）（繊維成分がポリプロピレン／ポリエチレンの芯鞘複合繊維からなる坪量２５ｇ／ｍ2の不織布）の２層とし、６５２５−１Ａを吸水性ポリマー層側に配置した以外は、実施例５と同様にして実施例２１の身体清拭シートを得た。【００８５】
実施例２２
表面層を２ＡＴＥＰ２０６０と６５２５−１Ａ（シンワ株式会社製）（繊維成分がポリプロピレン／ポリエチレンの芯鞘複合繊維からなる坪量２５ｇ／ｍ2の不織布）の２層とし、６５２５−１Ａを吸水性ポリマー層側に配置した以外は、実施例５と同様にして実施例２２の身体清拭シートを得た。【００８６】
実施例２３
表面層を２ＡＴＥＰ２０４０（日清紡テキスタイル株式会社製）（繊維成分がコットン及びポリエチレンテレフタレートからなる坪量４０ｇ／ｍ2 のスパンレース不織布）と６５２５−１Ａの２層とし、６５２５−１Ａを吸水性ポリマー層側に配置した以外は、実施例５と同様にして実施例２３の身体清拭シートを得た。【００８７】
実施例２４
表面層の一方を６５２５−１Ａと２ＡＴＥＰ２０４０の２層とし、６５２５−１Ａを吸水性ポリマー層側に配置し、表面層のもう一方を２ＡＴＥＰ２０６０とした以外は、実施例５と同様にして実施例２４の身体清拭シートを得た。【００８８】
実施例２５
表面層を、繊維成分がコットン１６％、ポリエチレンテレフタレート４７％、及びポリプロピレン／ポリエチレン芯鞘繊維３７％からなる坪量６０ｇ／ｍ2のスパンレース不織布とし、２２．５ｃｍの表面層不織布ロールに、幅１７．７ｃｍの吸水性ポリマー層を長さ２７ｃｍに断裁しながら該吸水性ポリマー層の長さ方向に約３ｃｍ間隔で配置し、吸水性ポリマー層の上下から幅２２．５ｃｍの２つの表面層不織布ロールを挟み合わせて３層とした。３層からなるシートの各々を移動装置により移動させ、シートの幅方向の両端の各々から１．５ｃｍまでの幅１．５ｃｍの領域をシートの移動方向に沿って、シートの上方に配置した加熱ローラーによって溶着した。シートの移動方向はシートの長さ方向と一致する。続いて、シートにおける幅方向に吸水性ポリマー層が挟まっていない箇所を幅２．５ｃｍの加熱ローラーにより溶着し、隣り合う３層からなるシートの間の２つの表面層の接合部の中央を幅方向に切断して、実施例２５の身体清拭シートを得た。本実施形態の溶着部の配置は図２０に示した実施例１２と同様である。【００８９】
実施例２６
表面層を、繊維成分がコットン１７％、ポリエチレンテレフタレート４１％、及びポリプロピレン／ポリエチレン芯鞘繊維４２％からなる坪量６０ｇ／ｍ2のスパンレース不織布とした以外は実施例２５と同様にして実施例２６の身体清拭シートを得た。【００９０】
実施例２７
実施例２６において、さらに、シートの幅方向の両端の各々から５ｃｍの位置に内側へ幅５ｍｍの領域をシートの移動方向に沿って、シートの上下に配置した超音波ミシン・ロータリーユニット（精電舎電子工業株式会社製）により溶着した以外は実施例２６と同様にして実施例２７の身体清拭シートを得た（図２３）。
図２３において、符号１は身体清拭シート、符号２は表面層、符号４は吸水性ポリマー層、符号２２は加熱ローラによる溶着部、符号２６は超音波ミシン・ロータリーユニットによる溶着部を示す。【００９１】
実施例２８
超音波溶着部を４８ｍｍとした以外は実施例２７と同様にして実施例２８の身体清拭シートを得た。【００９２】
以上、本発明の実施形態及び実施例について具体的に説明したが、本発明は、上述の実施形態に限定されるものではなく、本発明の技術的思想に基づく各種の変形が可能である。【００９３】
上述の実施形態及び実施例において挙げた構成、方法、工程、形状、材料及び数値などはあくまでも例に過ぎず、必要に応じてこれと異なる構成、方法、工程、形状、材料及び数値などを用いてもよい。例えば以下の通りである。
第１〜４実施形態において、吸水性ポリマー層４が２つの表面層２，３により囲繞されていなくてもよく、吸水性ポリマー層４中の吸水性ポリマーが身体清拭シート１の外に漏出するのを防止する程度に、吸水性ポリマー層４の周端部が表面層２、表面層３と一体化されていればよい。一体化は、表面層２，３及び吸水性ポリマー層４の３層の超音波融着並びに熱融着等の溶着、接着剤による接着、糸による縫い合わせ、エンボス加工による接合、溶断機による溶断、溶接機による溶接等により行うことができる。
第１２実施形態において、ガイド線７a，７bを省略し、ガイド線７c，７dのみとしてもよい。【００９４】
また、上述の実施形態の構成、方法、工程、形状、材料及び数値などは、本発明の主旨を逸脱しない限り、互いに組み合わせることが可能である。
また、本発明は以下の構成を採用することもできる。
［１］不織布から構成された２つの表面層と、２つの表面層の間に配置され、吸水性ポリマーを含有する吸水性ポリマー層とが積層された身体清拭シート。
［２］水を含ませて使用される乾式シートである［１］に記載の身体清拭シート。
［３］上記吸水性ポリマー層は繊維材料中に吸水性ポリマーを含有させたシート、繊維材料の上に吸水性ポリマーを分散して固めたシート、又は繊維状に加工された吸水性ポリマーを含むシートである［１］又は［２］に記載の身体清拭シート。
［４］上記吸水性ポリマー層中の吸水性ポリマーの量が、ポリマーが十分膨潤する時間水に浸した身体清拭シートを６０℃に加熱した後、２０〜２５℃、湿度４０〜８０％の環境下で１０分保存した後の身体清拭シートの温度を３０℃以上に保持し得る量である［１］〜［３］のいずれかに記載の身体清拭シート。
［５］水性洗浄剤を含有しない［１］〜［４］のいずれかに記載の身体清拭シート。
［６］上記表面層と吸水性ポリマー層が、少なくとも１点で固定されている［１］〜［５］のいずれかに記載の身体清拭シート。
［７］上記固定部が略直線状である［６］に記載の身体清拭シート。
［８］上記略直線状の固定部が上記身体清拭シートの端から端に跨る［７］に記載の身体清拭シート。
［９］上記身体清拭シートが略矩形であり、上記略直線状の固定部が、少なくとも一方向に２本設けられている［６］又は［７］に記載の身体清拭シート。【００９５】
［１０］上記固定部が、身体清拭シートの両端に設けられており、上記２つの表面層を接合する際に同時に設けられた略直線状の２本の固定部である［６］〜［９］のいずれかに記載の身体清拭シート。
［１１］上記固定部が熱溶着による接合部である請求項［６］〜［１０］のいずれかに記載の身体清拭シート。
［１２］上記吸水性ポリマー層が、身体清拭シートの幅方向の中心位置を長手方向に沿って略直線状に延びる凹部により２つの部分に分離されている［１］〜［１１］のいずれかに記載の身体清拭シート。
［１３］上記身体清拭シートは略矩形であり、上記身体清拭シートの幅方向の中心を通って上記身体清拭シートの長手方向に延びる線における上記身体清拭シートの長手方向の中心位置から等距離の位置から、上記身体清拭シートの長辺までの間を、上記身体清拭シートの長手方向に沿って互いに離れるように延びる仮想線に沿って延びる２つのガイド線をさらに備える［１］〜［１２］のいずれかに記載の身体清拭シート。
［１４］上記２つの表面層のうちの一方の角部に取り付けられ、該２つの表面層のうちの一つとの間に上記身体清拭シートを収容するためのポケットを画成する小片をさらに備える請求項［１］〜［１３］のいずれかに記載の身体清拭シート。
【産業上の利用可能性】
【００９６】
本発明の身体清拭シートは、家庭、病院等の医療施設、老人福祉施設、介護施設、総合商業施設、スポーツ施設等の様々な場所で、清拭を必要とする人に他者が清拭をしたり、清拭を必要とする人が自ら清拭をするために使用することができる。
【図１】
2018003885.tif 000004
【図２】
2018003885.tif 000005
【図３】
2018003885.tif 000006
【図４】
2018003885.tif 000007
【図５】
2018003885.tif 000008
【図６】
2018003885.tif 000009
【図７】
2018003885.tif 000010
【図８】
2018003885.tif 000011
【図９】
2018003885.tif 000012
【図１０】
2018003885.tif 000013
【図１１】
2018003885.tif 000014
【図１２】
2018003885.tif 000015
【図１３】
2018003885.tif 000016
【図１４】
2018003885.tif 000017
【図１５】
2018003885.tif 000018
【図１６】
2018003885.tif 000019
【図１７】
2018003885.tif 000020
【図１８】
2018003885.tif 000021
【図１９】
2018003885.tif 000022
【図２０】
2018003885.tif 000023
【図２１】
2018003885.tif 000024
【図２２】
2018003885.tif 000025
【図２３】
2018003885.tif 000026
【国際調査報告】
2018003885.tif 000027
2018003885.tif 000028